(57)【要約】【課題】複製が不能か、または相応のノウハウと格別の技術的労力によってのみ複製可能であり、適切な鍵がなければ任意の他の方法によって操作することのできない鍵、ロッキングシステムおよび施錠方法を創出する。【解決手段】ロッキングシステム（２．０）用の鍵（１．１）であって、該鍵（１．１）は金属体によって形成されており、該金属体は、その長さおよび／または周囲に沿って、錠を解除または施錠するための符号（３．３）に対する符号領域（１．５）を有しており、前記符号（３．３）は、前記鍵（１．１）の中実金属体の金属組織における、機械的な交互作用なしで走査可能な量子物理学的変化によって形成されており、該変化は、人間にとって知覚不能であり、とりわけ見ることも触れて感じることもできない。【選択図】図１
2017533363.tif 000002
【特許請求の範囲】
【請求項１】
ロッキングシステム（２．０）用の鍵（１．１）であって、
該鍵（１．１）は金属体によって形成されており、
該金属体は、その長さおよび／または周囲に沿って、錠を解除または施錠するための符号（３．３）に対する符号領域（１．５）を有しており、
前記符号（３．３）は、前記鍵（１．１）の中実金属体の金属組織における、機械的な交互作用なしで走査可能な量子物理学的変化によって形成されており、
該変化は、人間にとって知覚不能であり、とりわけ見ることも触れて感じることもできない、ことを特徴とする鍵。
【請求項２】
前記量子物理学的変化は電磁的に走査可能である、ことを特徴とする請求項１に記載の鍵。
【請求項３】
前記量子物理学的変化はメゾスコピックであり、
メゾスコピックな領域は、約１ナノメータから約１マイクロメータの長さ尺度に広がっている、ことを特徴とする請求項１または２に記載の鍵。
【請求項４】
前記鍵（１．１）の金属体は任意の形状を有する、ことを特徴とする請求項１から３のいずれか一項に記載の鍵。
【請求項５】
前記鍵（１．１）の金属体は、ロッド、好ましくは円形ロッドの形状を有しており、該ロッドは好ましくは符号領域（１．５）に沿って同じ直径を有する、ことを特徴とする請求項１から４のいずれか一項に記載の鍵。
【請求項６】
前記鍵（１．１）の金属体は、把持領域（１．２）と、鍵輪（１．４）に固定するためのホール（１．３）とを有する、ことを特徴とする請求項１から５のいずれか一項に記載の鍵。
【請求項７】
前記金属体の表面（１．７）は、広告支持体として構成されている、ことを特徴とする請求項１から６のいずれか一項に記載の鍵。
【請求項８】
広告支持体として使用される金属体の前記表面（１．７）は、印刷あるいはアルマイト処理されており、または深エンボス加工によって設けられている、ことを特徴とする請求項７に記載の鍵。
【請求項９】
鍵（１．１）と、該鍵（１．１）を導入するための錠チャネルとを備えるロッキングシステムであって、
前記鍵は金属体によって形成されており、
該金属体は、その長さおよび／または周囲に沿って、錠を解除または施錠するための符号（３．３）に対する符号領域（１．５）を有しており、
前記符号（３．３）は、前記鍵（１．１）の中実金属体の金属組織における、錠チャネルとの機械的な交互作用なしで走査可能な量子物理学的変化によって形成されており、
該変化は、人間にとって知覚不能であり、とりわけ見ることも触れて感じることもできず、
前記錠チャネル（２．８）には、鍵（１．１）の符号（３．３）を復号するための復号ユニットが配設されている、ことを特徴とするロッキングシステム。
【請求項１０】
前記量子物理学的変化は電磁的に走査可能であり、
前記復号ユニットは、電磁的に動作する復号ユニットである、ことを特徴とする請求項９に記載のロッキングシステム。
【請求項１１】
前記量子物理学的変化はメゾスコピックであり、
メゾスコピックな領域は、約１ナノメータから約１マイクロメータの長さ尺度に広がっている、ことを特徴とする請求項９または１０に記載のロッキングシステム。
【請求項１２】
復号ユニットの読み取りユニット（２．２）の形状は、金属体の形状に適合されている、ことを特徴とする請求項９から１１のいずれか一項に記載のロッキングシステム。
【請求項１３】
前記復号ユニットは、長手の錠チャネル（２．８）に配置された読み取りユニット（２．２）を有し、該読み取りユニットは前記錠チャネル（２．８）から気密に分離されている、ことを特徴とする請求項９から１２のいずれか一項に記載のロッキングシステム。
【請求項１４】
前記鍵（１．１）の金属体は、直径（ＡＤ）を備える円形ロッドにより形成されており、前記直径は錠チャネル（２．８）の内径（ＩＤ）より僅かに小さい、ことを特徴とする請求項９から１３のいずれか一項に記載のロッキングシステム。
【請求項１５】
錠チャネル（２．８）への鍵（１．１）の導入の際に前記復号ユニットの前方に位置するセンサユニット（２．３）が、当該鍵（１．１）が導入されるか否かを識別するために設けられている、ことを特徴とする請求項９から１４のいずれか一項に記載のロッキングシステム。
【請求項１６】
鍵（１．１）と、該鍵（１．１）を導入するための長手の錠チャネル（２．８）とを有するロッキングシステムを解除または施錠する方法であって、
前記鍵は金属体によって形成されており、
該金属体は、その長さおよび／または周囲に沿って、錠を解除または施錠するための符号（３．３）によって符号化され、
前記錠チャネル（２．８）は、任意に成形された鍵（１．１）の形状に適合されており、
前記鍵は、当該鍵（１．１）の中実金属体の金属組織における、錠チャネル（２．８）との機械的な交互作用なしで走査可能な量子物理学的変化によって符号化され、
該変化は、人間にとって知覚不能であり、とりわけ見ることも触れて感じることもできず、
前記鍵は、任意の位置で前記錠チャネル（２．８）に導入され、
鍵（１．１）の符号（３．３）が正しく識別された後、その長手軸を中心にする鍵（１．１）の回転により錠の解除または施錠が引き起こされる、ことを特徴とする方法。
【請求項１７】
前記量子物理学的でメゾスコピックな変化は、復号ユニットにより該復号ユニットから形成される電磁界によって走査可能である、ことを特徴とする請求項１６に記載の方法。
【請求項１８】
錠チャネル（２．８）への鍵（１．１）の導入がセンサユニット（２．３）により識別され、復号ユニットの読み取りユニット（２．２）が作動される、ことを特徴とする請求項１６または１７に記載の方法。
【発明の詳細な説明】
【技術分野】
【０００１】
関連出願との関係
本発明は、２０１４年１０月２３日出願のドイツ特許願第１０２０１４０１５６０６．０号に関連するものであり、その優先権を主張する。ここにおいて当該特許願の開示内容は、その全体を本願の対象とすることを明示する。
【０００２】
発明の分野
本発明は、請求項１の上位概念によるロッキングシステム用の鍵、請求項９の上位概念によるロッキングシステム並びに請求項１６の上位概念によるロッキングシステムの解除または施錠方法に関する。
【背景技術】
【０００３】
従来の技術
ロッキングシステムは、対象物または情報を不当なアクセスから保護する。機械的または電子的錠は、対応の機械的または電子的鍵と共に、例えばドアを施錠するためのロックシステムを運動させ、または制御する。しかしながら絶対安全な錠またはロッキングシステムは存在しない。十分な時間、犯罪的エネルギーおよび技術的労力によりほとんどの錠は「破られる」。これは、鍵が密かにコピーされた場合、鍵なしでの解除方法が完成された場合、電子システムが探り出され、裏をかかれた場合である。したがって時間の経過と共に錠およびロッキングシステムの技術は常に繰り返し開発されており、犯罪的アクセスを相応に困難にしている。
【０００４】
種々の形式の錠またはロッキングシステムが存在する。純粋に機械的な錠では、機械的鍵によって例えばドアの機械的解錠が達成される。閂を動かすための力は、錠内部で鍵の形状が走査され、相応の機械的特徴が錠の設定と一致し、回転運動が解除（許容）された後に、機械的鍵の運動、例えば回転運動から発生する。錠の形状は、例えばシリンダ錠として広く普及している。
【０００５】
電気的ロッキングシステムでは電気的または液圧的過程が閂を動かす。錠に適合する鍵は、単にこの過程をトリガする。このことは単純なモータ制御により、または例えばセンター本部への相応のデータ語を介して行うことができる。頻繁に適用されるのはいわゆるトランスポンダ錠である。このトランスポンダ錠では、電子的鍵が対応の電子的錠とデータを交換する。
【０００６】
Ａ：機械的錠
機械的鍵では、この鍵が通常は外から見ることのできる機械的機構を有しており、この機械的機構が錠内で相応に走査される。鍵と錠が一致するとロックが解除され、これにより鍵の回転によってさらなる機械的過程をトリガすることができる。
【０００７】
機械的錠の利点：
機械的錠は比較的簡単に製作することができ、鍵は問題なく他の人に引き渡すことができる。鍵は通常の場合、金属から作製されており、例えば火事の際に高温にも耐えられる。
【０００８】
このような錠の欠点は、いわゆる「ロックピッキング」である。すなわち相応の方法および工具による機械的錠の解除である。それどころか公認の競技会が存在することは、このような錠の不確実性を示す。さらに機械的鍵は通常、容易にコピーされる。なぜなら鍵の機械的「情報」が剥き出しで存在するからである。
【０００９】
さらなる錠形式は数字錠である。この数字錠では適切な数が入力されると解除機構がトリガされる。
【００１０】
欠点：「数字錠」の引き渡しには問題がある。なぜなら受け取った人は、場合によっては比較的に長い数列を覚えなければならないからである。特に時間のプレッシャのある時は、数字を忘れてしまうことがある。
【００１１】
Ｂ：電子的錠
電子的錠の鍵は電子的構成部材から作製されており、これらの構成部材は、磁力または鍵が錠に接近する際、または手動で作動される際に情報を無線でまたは光学的に交換する。アクセス権限がある場合、相応の解除機構が電気的に例えばサーボモータを介して操作される。
【００１２】
電子錠の利点：
データを、例えば理想的には時間追跡システム（Zeiterfassungssystem）として中央コンピュータで管理することができる。（電子的）ロックピッキングは困難であるか、または実施不能である。
【００１３】
電子鍵の欠点：機械的に敏感であり、容易に故障し得る。探り出すことができる。高温に耐えられず、火事の場合に電子的鍵は通常、最終的に破壊される。
【００１４】
ロッキングシステムは、「ロックピッキング」または鍵のコピーが困難であればある程、より安全である。現在、通常のシリンダ錠の場合、鍵は数分以内でまったく問題なく、昨今多くのショッピングセンターで見られるような何れの鍵専門店または相応のサービスプロバイダーによって複製することができる。したがって高セキュリティキーであっても「比較的高い」安全性を提供するだけである。なぜなら高セキュリティキーは、相応の規則のため（法的に）キーサービスによって複製することが許されないからである。技術的見地からは、このような鍵の偽造はいずれにしろほとんど問題ではない。したがって偽造安全性は、相応の協定だけによるものである。現代ではある程度離れて記録された鍵の写真でも、３Ｄプリンタにより完全に機能する鍵のコピーを作製するのに十分である。
【先行技術文献】
【特許文献】
【００１５】
【特許文献１】US 2007/126551 A1
【特許文献２】US 2007/146117 A1
【特許文献３】US 3 737 685 A
【特許文献４】EP 2 468 987 A2
【発明の概要】
【発明が解決しようとする課題】
【００１６】
発明の課題
この従来技術から出発して本発明の基礎とする課題は、複製が不能か、または相応のノウハウと格別の技術的労力によってのみ複製可能であり、適切な鍵がなければ任意の他の方法によって操作することのできない鍵、ロッキングシステムおよび施錠方法を創出することである。
【課題を解決するための手段】
【００１７】
この課題は、請求項１の特徴を備えるロッキングシステムのための鍵、請求項９の特徴を備えるロッキングシステム、並びに請求項１６の特徴を備えるロッキングシステムを解除または施錠するための方法によって解決される。
【発明を実施するための形態】
【００１８】
本発明は、偽造不能の鍵および対応の電子的読み出しユニットから成るロッキングシステムを記述する。鍵自体において、鍵の符号も鍵の金属組織で行われた変化も、人間にとってさらなる補助手段がなければ識別不能、不可視、または知覚不能である。量子物理学的に符号化された鍵は、例えば任意に成形された中実金属ロッドに見える。符号化は本体の深部まで行われる。したがって表面の損傷のような外部の影響は鍵の機能を損なわない。それにもかかわらず鍵の中実金属体の金属組織におけるこの量子物理学的変化は、機械的交互作用なしで走査可能である。そのように加工処理された量子鍵は、肉眼で可視の、または感知可能な符号の特徴を有しておらず、任意に成形することができる。約７０ｍｍの長さに500,000,000,000（５千億）の種々の符号が格納されている。
【００１９】
それにもかかわらず、これによりロッキングシステムで使用される鍵は非常に大きな機械的力、摩耗または温度に耐える。鍵の符号化は、量子物理学的固体暗号法（quantenphysikalischen Festkoerper-Kryptographie）に基づくものである。ここでは中実本体の物質が部分的に、それに適した読み出し方法によりこの変化を読み出すことができるように変化される。
【００２０】
さらに外部被覆部は、アルマイト処理、研磨、着色または他の研削およびサンドスプレーにより機能に影響を及ぼされない。鍵標章、広告等も、表面への深エンボス加工（Tiefenpraegung）により取り付けることができる。
【００２１】
ロッキングシステムは、鍵の中実金属に量子物理学的に取り付けられた符号を復号するための復号ユニットを含む。これによりアセンブリは、最高度に偽造および改ざんの不可能なロッキングシステムを、量子物理学的固体暗号法に基づいて提供する。
【００２２】
さらなる利点は、従属請求項および実施例の以下の説明から得られる。
【００２３】
以下、本発明を添付図面に示された一実施例に基づいて詳細に説明する。
【図面の簡単な説明】
【００２４】
【図１】本発明による鍵の側面図である。
【図２】図１による本発明の鍵のさらなる側面図であり、符号が示されている。
【図３】錠のためのケーシングの斜視図である。
【図４】図３のケーシングの断面図である。
【図５】ケーシングを斜め後方から見た斜視図である。
【図６】基本的な電気作用機序の概略図である。
【実施例】
【００２５】
好ましい実施例の詳細な説明
本発明を例として、添付図面に基づき詳細に説明する。とりわけ実施例においては、本発明のコンセプトを特定の構成に制限するものではない例だけが取り扱われる。本発明を詳細に説明する前に、本発明は装置のそれぞれの構成部材並びにそれぞれの方法ステップに限定されるものではないことを述べておく。なぜならこれら構成部材および方法は変更することができるからである。ここに使用される概念は、特別の実施形態を記述するためだけのものであり、限定的に使用されるものではない。さらに明細書または特許請求の範囲において単数または不定冠詞が使用される場合、全体的文脈が一義的に他のものを明確に意味するので無い限り、これは当該要素の複数形にも関連する。
【００２６】
本出願の枠内において概念「錠」は、機械的ロック装置に使用されるものではなく、厳密に言えば、鍵に存在する符号を読み出し、読み出された符号が錠に対して格納されている符号、例えば数列と一致する場合に機械的ロック装置を解除（解錠）することのできる読み取りユニットに対して使用される。この点で例えば錠チャネル２．８も本来は読み取りチャネルである。
【００２７】
ここに記述する発明においては、中実の、好ましくはただ１つの金属ブロックから作製され、可視または検知可能な何れの構造も備えない鍵１．１が使用される。実施例において鍵は、例えば長さ１２０ｍｍ、直径８ｍｍの短いステンレスロッドから成る。このステンレスロッドの端部は、取扱い性を改善するために相応に成形されており、通常の鍵輪１．４用のホール１．３が設けられている。鍵穴に挿入される端部は丸められている。
【００２８】
実施例における錠は、（断面が）円形または四角形のステンレスシリンダから作製され、一方の端部にカバープレートを、他方の端部に電気接続部を有する。「鍵穴」はカバープレート内にある円形の開口部である。シリンダの内部には電子回路が存在し、この電子回路は相応のセンサを介して鍵１．１を走査し、符号を読み取る。鍵自体はパイプの中に案内される。このパイプは、鍵の（外径）８ｍｍよりも僅かに大きな内径を有しており、実施例では例えば内径８．５ｍｍのテフロン（登録商標）パイプである。鍵は自由にパイプ内で案内され、どこにも機械的または電気的に接触しない。したがって鍵穴２．５は検出システムに対して気密に封鎖（シール）されており、例えばガス等がロッキングシステムに取り込まれることはない。
【００２９】
開錠または施錠のためには、鍵を任意の位置で当接するまで鍵穴２．５に導入するだけで良い。鍵の対応する符号を読み出した後、解除または施錠過程を電気的にトリガすることができる。しかし鍵を、機械的ペンダント（mechanischen Pendant）の場合のように左ないし右に回転し、それにより初めて「開錠」を開始し、または右ないし左に回転し、「施錠過程」をトリガすることもできる。
【００３０】
鍵の符号化は、鍵本体の物質を鍵本体の深部まで量子技術的に変化することによって行われる。この変化では鍵番号の暗号情報が符号化される。
【００３１】
図１による直径８ｍｍ、長さ７０ｍｍの鍵本体の実施例では、５００，０００，０００，０００超の種々異なる符号を格納することができる。簡単にするため、鍵は以下の記述では「量子鍵」と称する。基本材料の量子技術的変化は、相応の専門知識と機器を必要とする。したがってそのような鍵の容易な「偽造」はほとんど不可能である。鍵本体の構造のこの量子技術的変化は見ることができない。このことは、このように作製された鍵はシミュレート（写真、ワックス型取り等）することができないことを意味する。例えば表面のやすり掛けまたは鋸引き、ハンマー加工、加熱、冷却等による機械的変化は機能に何の影響も及ぼさない。鍵が変形しても、鍵が再び錠チャネル（ないし鍵チャネル）に適合するように再び元に戻るならばかまわない。図１，２によれば鍵は、例えば単純な円形ロッドの外観を有することができる。
【００３２】
さらに外側被覆部は、アルマイト処理、研磨、着色、または研削またはサンドスプレーによっても機能に影響を及ぼされない。鍵標章、広告等も、表面への深エンボス加工により取り付けることができる。
【００３３】
図１の実施例において量子鍵１．１は、直径８ｍｍ、全長１２０ｍｍの中実のステンレスロッドから作製される。前方端部における丸み部１．６は、鍵を鍵穴２．５に容易に導入するために用いられる。対称の凹部またはフライス加工凹部１．２に技術的必然性はない。これは単に実施例において鍵の取り扱いを改善するために用いられる。ホール１．３は、通常の鍵輪１．４を受け入れることができ、したがって量子鍵を通常のキーホルダーに容易に取り付けることができる。
【００３４】
符号領域１．５には、注意深い観察者にも不可視である鍵の量子技術的符号が存在する。例えば７０ｍｍの長さに、500,000,000,000超の種々異なる暗号可能性を使用できるように量子技術的符号を取り付けることができる。
【００３５】
本来の「錠」２．０は（簡単にするため「量子錠」と称する）、図３の実施例ではステンレス製の角形ケーシング２．１に格納されており、鍵１．１のための機械的案内部２．８、並びに鍵識別部２．３および量子技術的符号に対する読み取りユニット２．２を含む。錠の前方終端部はフロントプレート２．４により形成され、このフロントプレートは角形シリンダと堅固に接続されている。フロントプレートには円形の鍵穴２．５が存在する。鍵１．１の機械的案内部２．８は、図４によれば、例えばセラミックまたはテフロン（登録商標）製のパイプ状部材から作製される。この部材の端部は気密に閉鎖されている。このことは例えば、ガスまたは圧力に対して絶対的な密閉性が重要である適用事例に対して必要である。さらに鍵の挿入深度が制限される。壁またはドアにおける量子錠のための固定エレメントの図示は省略されている。なぜなら当業者には一般的な固定技術は周知だからである。
【００３６】
鍵穴２．５の近傍には鍵識別のためのセンサ２．３が存在する。このセンサは、鍵の挿入を識別し、鍵の量子物理学的符号を読み出すためのセンサユニット２．２を作動する。センサ２．３は、実施例では供給電圧３．４から極めて小さな電流を消費する。したがってこのシステムは非常に長時間、自立的にバッテリーモードで動作することができる。鍵の挿入が識別されると、量子技術的符号のための読み取りユニット２．２が作動される。確かに符号の読み取りはより多くのエネルギーを消費する。しかしこれは解除または施錠過程毎に数ミリ秒間だけである。これにより平均的エネルギー消費は非常に小さい。したがってバッテリーモードによる機能を何年にもわたって保証することができる。もちろん、十分なエネルギーが持続的に提供される場合にはセンサ２．３を省略することもできる。
【００３７】
作製された鍵はすべて１から５千億までの絶対的に個別の数を有している。プログラミングにより錠内の評価電子回路３．１には対応の鍵番号が割り当てられており、したがってこの番号またはさらにプログラミングされた番号だけが錠を解除することができる。例えば中央ロック装置を使用する場合、さらなる数字組み合わせを対応の鍵に割り当てることができ、インタフェース３．２を介して例えば中央コンピュータにさらに伝送することができる。インタフェース３．２の電子回路は、個別ロック装置の場合はもちろん、解除機構を例えばサーボモータにより直接的に操作することができる。
【００３８】
実施例では、いずれにしろ任意の位置で鍵穴に導入することのできる鍵を挿入した後、かつ正しい解除（解錠）権限が識別された後、鍵のさらなる回転が検出される。例えば鍵の挿入後、引き続き鍵が左または右に回転されると、例えばドアの開放（解除）機構を開く（解除する）ことができる。同様に右ないし左への回転によりドアは再びロックされることになる。したがって機械的錠の場合と同じような直感的機能が達成され、その際に機械的機能が実施されることはない。
【００３９】
量子鍵の機能に必要な電子回路は、図５による実施例では注形コンパウンド２．９により鋳込まれている。量子錠の後方部分には、実施例では接続接点２．６を備えるソケットが存在する。接続ソケットの周囲の領域も相応に金属でシールドすることができる。これにより錠全体が鍵穴２．５まで、そして接続接点２．６が完全に金属的にカプセル化されるので、電磁的障害（EMV-Stoerungen）に対して高い障害耐性が達成される。
【００４０】
図６は、実施例の基本的な電気作動機序を示す。鍵識別のためのセンサ２．３は、量子鍵が鍵穴に導入された後、鍵１．１の量子技術的符号のための読み出しユニット２．２を作動する。鍵が導入されているか否かの識別は無接触で行われる。量子技術的符号のための読み取りユニット２．２は、錠チャネル２．８ないし鍵の読み取りチャネルを通る機械的案内により同様に無接触で動作する。鍵番号が、評価電子回路３．１に記憶された番号と比較され、一致する場合、インタフェース３．２を介してさらなる相応のデータ語３．３が例えば中央コンピュータに導かれる。個別ロック装置の場合、インタフェース３．２はもちろん直接的に、例えばロック機構にあるサーボモータを制御することができる。供給電圧３．４は、例えばリチウムバッテリ電池から取り出すことができる。
【００４１】
量子鍵がない場合、鍵識別のためのセンサ２．３は３Ｖの供給電圧で１．５μＡの電流しか消費しない。量子鍵の導入後、センサ２．３によって鍵１．１の量子技術的符号のための読み取りユニット２．２および評価電子回路３．１とインタフェース３．２が作動される。読み取りユニット２．２による評価のために必要な時間は相応に短く、正しい鍵番号の評価とデータ伝送のために必要な時間も同様に短い。したがって平均的電流消費は、一日約１００回の施錠および解除過程の場合、１０μＡ以下に留まる。
【００４２】
量子鍵１．１はもちろん、例えば扁平なディスク以外の他の任意の形状を有することもできる。重要なことは、量子技術的符号のための読み取りユニット２．２が符号を相応に検出できることである。
【００４３】
ロッキングシステム２．０用の鍵１．１は金属体により形成されており、該金属体はその長さおよび／または周囲に沿って、錠を解除または施錠するための符号３．３に対する符号領域１．５を有する。符号３．３は、金属体の金属組織における量子物理学的変化によって形成されている。この変化は、人間にとってさらなる補助手段がなければ知覚されず、とりわけ見ることも触れて感じることもできない。鍵１．１の金属体は任意の形状を有することができる。したがって鍵の金属体は、ロッド、好ましくは円形ロッドの形状を有することができ、ロッドは好ましくは符号領域１．５に沿って同じ直径を有する。
【００４４】
符号３．３は、符号領域１．５において、鍵１．１の中実金属体の金属組織における量子物理学的変化によって形成され、この量子物理学的変化は機械的交互作用なしで走査可能である。ここで本発明は、金属組織におけるこの種の量子技術的変化は、とりわけ磁気的交番磁界とのエネルギー交換の変化を引き起こすという知識を利用する。この変化は、磁化反転損失（Ummagnetisierungsverluste）の評価を介して測定することができる。すなわち量子物理学的変化は例えば電磁的に走査可能である。しかし同時にこの変化は人間にとってさらなる補助手段なしでは、または肉眼では知覚することができず、とりわけ見ることも触れて感じることもできない。それどころか鍵は表面的には、例えば円形ロッド等の外観を有する。量子物理学的変化は、メゾスコピック領域（mesoskopischen Bereich）内で変化する。固体物理学ではマイクロスコピック（微視的、mikroskopisch）とマクロスコピック（巨視的、makroskopisch）との間にある中間領域がメゾスコピック（mesoskopisch）と称される。簡単に言えばメゾスコピック領域は、約１ナノメータから約１マイクロメータの長さ尺度に広がる。そして金属組織に取り付けられた複数のこの変化が共に、符号ゾーン１．８内での符号をシミュレートする。符号ゾーン内に鍵１．１の周方向に沿って複数の情報が互いに並んで取り付けられている場合には、このことは各個別の情報に対して当てはまる。すなわち各符号部分情報は、外見的には識別不能な複数のメゾスコピックな変化から形成される。この変化は、通常、０．１から２ｍｍの長さないし直径を有する。
【００４５】
ロッキングシステムには鍵１．１の他に、鍵１．１を導入するための錠チャネル２．８を備える錠が属する。錠チャネル２．８には、鍵１．１の符号３．３を復号するための復号ユニットが配設されている。復号ユニットの読み取りユニット２．２の形状は、金属体の形状に適合されている。鍵１．１の金属体は、例えば直径ＡＤの円形ロッドにより形成されており、この直径は錠チャネル２．８の内径ＩＤより僅かに小さい。読み取りユニット２．２は錠チャネル２．８に配置されており、錠チャネル２．８からは気密に分離されている。ここでは複数の読み取り装置を直列に相前後して各個々の符号ゾーン１．８に対して設けることもできる。しかし通常は１つの読み取りユニットが錠チャネル２．８の周囲に、好ましくは１つの平面内で錠チャネルの長手方向に対して横方向に配置されており、読み取りユニットは個々の符号ゾーン１．８に符号化された情報を、鍵１．１の錠チャネル２．８への導入の際に順次読み出す。
【００４６】
符号領域１．５は図２によれば好ましくは複数の符号ゾーン１．８を有しており、これらの符号ゾーンはそれ自体で、場合により周囲に沿っても多重に、かつ異なって符号化することができる。鍵が錠チャネル２．８内に最初に入り込む丸み部１．６から間隔を置いた符号領域１．５の端部には、少なくとも１つのさらなるゾーン、例えば端部ゾーン１．９が設けられている。この端部ゾーン１．９により復号ユニットは、鍵が完全に挿入されているか否かを識別することができる。このことは、部分的にしか導入されていないことにより、まったく存在しない対称の符号が読み出されることによって達成される。なぜなら復号ユニットは、導入運動の際も引き抜き運動の際も符号を読み取ることができるからである。
【００４７】
解除または施錠の際に鍵１．１は長手の錠チャネル２．８に導入される。錠チャネルは、その長さおよび／または周囲に沿って錠を解除または施錠するための符号３．３を有しており、この符号は中実金属体の金属組織における量子物理学的変化によって符号化される。鍵１．１は、任意の位置で錠チャネル２．８に導入され、鍵１．１の符号３．３が正しく識別された後、その長手軸を中心にする鍵１．１の回転により錠の解除または施錠が引き起こされる。
【００４８】
この明細書は、従属請求項と等価の範囲内において変化する種々の変形、変更および適合を受け得ることは自明である。
【符号の説明】
【００４９】
１．１  量子鍵
１．２  対称の凹部またはフライス加工凹部（把持領域）
１．３  鍵輪用のホール
１．４  鍵輪
１．５  符号領域
１．６  丸み部
１．７  表面
１．８  符号ゾーン
１．９  端部ゾーン
２．０  量子錠（ロッキングシステム）
２．１  ケーシング
２．２  量子技術的符号のための読み取りユニット
２．３  鍵識別用のセンサ
２．４  正面プレート
２．５  鍵穴
２．６  接続接点
２．８  錠チャネル
２．９  注形（充填）コンパウンド
３．１  評価電子回路
３．２  インタフェース
３．３  錠装置（ロッキングシステム）に対して使用される符号
３．４  供給電圧
ＡＤ  鍵１．１の外径
ＩＤ  錠チャネル２．８の内径
【図１】
2017533363.tif 000003
【図２】
2017533363.tif 000004
【図３】
2017533363.tif 000005
【図４】
2017533363.tif 000006
【図５】
2017533363.tif 000007
【図６】
2017533363.tif 000008
【国際調査報告】
2017533363.tif 000009
2017533363.tif 000010
2017533363.tif 000011
2017533363.tif 000012